(57)【特許請求の範囲】
【請求項１】
カートリッジに収容された印刷材料を用いて被記録媒体に印刷を行う印刷装置であって、
前記カートリッジが前記印刷装置に適合しているか否かについての適合情報を含んでいるカートリッジ情報を記憶するための記憶素子を備えた複数種類の前記カートリッジを取付けることが可能であり、前記カートリッジの種類の各々に対応した複数の取付部と、
前記取付部に取付けられているカートリッジに備えられた記憶素子と通信することで前記カートリッジ情報を取得する通信手段と、
取付けられている第１のカートリッジの記憶素子と前記通信手段が通信することができない第１の取付部を検出する第１の検出手段と、
取付けられている第２のカートリッジの記憶素子と前記通信手段が通信することができる第２の取付部を検出する第２の検出手段と、
前記第１の取付部に前記第２のカートリッジが取付けられている状態で前記第２のカートリッジに備えられた記憶素子と前記通信手段とが通信できない場合、または、前記第２の取付部に前記第１のカートリッジが取付けられている状態で前記第１のカートリッジに備えられた記憶素子と前記通信手段とが通信できる場合の少なくとも一方の場合に、前記第１の取付部が故障している旨を報知する報知手段と、
前記報知手段による報知がなされた場合、前記第２の取付部に取付けられた前記第１のカートリッジの記憶素子から前記通信手段が読み出した前記適合情報に基づいて、前記第１のカートリッジが前記印刷装置に適合するかを判断する判断手段と、
前記判断手段により前記第１のカートリッジが前記印刷装置に適合しないと判断された場合には、印刷を実行しないように前記印刷装置を制御する第１の制御手段と、
を備え、
前記第１の取付部は前記第１のカートリッジの種類に対応しており、
前記第２の取付部は前記第２のカートリッジの種類に対応していることを特徴とする印刷装置。
【請求項２】
前記判断手段により前記第１のカートリッジが前記印刷装置に適合すると判断された場合に、前記通信手段が前記第１の取付部に取付けられているカートリッジの記憶素子と通信することが可能であるか否かに関わらず、印刷を実行可能に前記印刷装置を制御する第２の制御手段を備えることを特徴とする請求項１に記載の印刷装置。
【請求項３】
前記カートリッジ情報は、前記カートリッジに収容されている印刷材料種類についての印刷材料情報を含んでおり、
前記第２の制御手段は、
前記判断手段により前記第１のカートリッジが前記印刷装置に適合すると判断された場合に、前記第２の取付部に取付けられた前記第１のカートリッジの記憶素子から前記印刷材料情報を読み出し、読み出した印刷材料情報に基づいて前記第１のカートリッジの印刷材料種類が第１の取付部の印刷材料種類に対応していると判断する場合には、印刷を実行可能に前記印刷装置を制御し、読み出した印刷材料情報に基づいて前記第１のカートリッジの印刷材料種類が第１の取付部の印刷材料種類に対応していないと判断する場合には、印刷を実行しないように前記印刷装置を制御することを特徴とする請求項２に記載の印刷装置。
【請求項４】
前記第１の取付部に対するカートリッジの取付けおよび取外しを検出する第３の検出手段と、
前記第２の取付部に対するカートリッジの取付けおよび取外しを検出する第４の検出手段と、
をさらに備え、
前記第２の制御手段は、前記第４の検出手段によって前記第２の取付部からカートリッジが取外されたことが検出された場合、前記第３の検出手段によって前記第１の取付部にカートリッジが取付けられたことが検出されることに応じて、印刷を実行可能に前記印刷装置を制御することを特徴とする請求項２または３に記載の印刷装置。
【請求項５】
前記第２の制御手段により前記第１の取付部に取付けられた前記第１のカートリッジを用いた印刷が実行可能とされている期間中に、前記第３の検出手段によって前記第１の取付部からカートリッジが取外された場合に、前記報知手段で前記第１の取付部が故障していることが報知されている場合には、前記判断手段は、前記第１のカートリッジが前記印刷装置に適合するか否かの判断を再度実行することを特徴とする請求項４に記載の印刷装置。
【請求項６】
前記報知手段は、
前記第１の取付部に取付けられている前記第２のカートリッジの記憶素子から取得されたカートリッジ情報と、前記第２の検出手段によって前記第２のカートリッジの記憶素子から取得されたカートリッジ情報とが一致することを条件として、前記第１のカートリッジが故障している旨を報知することを特徴とする請求項１ないし５の何れか１項に記載の印刷装置。
【請求項７】
カートリッジに収容された印刷材料を用いて被記録媒体に印刷を行う印刷装置であって、
前記カートリッジが前記印刷装置に適合しているか否かについての適合情報を含んでいるカートリッジ情報を記憶するための記憶素子を備えた複数種類の前記カートリッジを取付けることが可能であり、前記カートリッジの種類の各々に対応した複数の取付部と、
前記取付部に取付けられているカートリッジに備えられた記憶素子と通信することで前記カートリッジ情報を取得する通信手段と、
を備える印刷装置の制御方法であって、
取付けられている第１のカートリッジの記憶素子と前記通信手段が通信することができない第１の取付部を検出する第１の検出ステップと、
取付けられている第２のカートリッジの記憶素子と前記通信手段が通信することができる第２の取付部を検出する第２の検出ステップと、
前記第１の取付部に前記第２のカートリッジが取付けられている状態で前記第２のカートリッジに備えられた記憶素子と前記通信手段とが通信できない場合、または、前記第２の取付部に前記第１のカートリッジが取付けられている状態で前記第１のカートリッジに備えられた記憶素子と前記通信手段とが通信できる場合の少なくとも一方の場合に、前記第１の取付部が故障している旨を報知する報知ステップと、
前記報知ステップによる報知がなされた場合、前記第２の取付部に取付けられた前記第１のカートリッジの記憶素子から前記通信手段が読み出した前記適合情報に基づいて、前記第１のカートリッジが前記印刷装置に適合するかを判断する判断ステップと、
前記判断ステップにより前記第１のカートリッジが前記印刷装置に適合しないと判断された場合には、印刷を実行しないように前記印刷装置を制御する第１の制御ステップと、
を備え、
前記第１の取付部は前記第１のカートリッジの種類に対応しており、
前記第２の取付部は前記第２のカートリッジの種類に対応していることを特徴とする印刷装置の制御方法。
【発明の詳細な説明】
【技術分野】
【０００１】
本願は、交換部品から各種の情報を読み出す印刷装置、および、印刷装置の制御方法に関する。
【背景技術】
【０００２】
脱着可能な交換部品（例：インクカートリッジ）から所定の情報を読み出す印刷装置が提案されている。例えば、インクカートリッジには、記憶素子（例：ＩＣチップ）が備えられている。記憶素子には、インクの色やメーカー純正品であるか否かなどに関する、カートリッジ情報が記憶されている。また、カートリッジが取付けられる取付部には、カートリッジの記憶素子との通信に用いられる部品（例：電極）が備えられている。そして印刷装置は、取付部に取付けられたインクカートリッジからカートリッジ情報を読み出し、印刷実行の可否を判断したり、各種の報知を行なう（例えば、特許文献１参照）。
【先行技術文献】
【特許文献】
【０００３】
【特許文献１】特開２００４−９０５１７号公報
【発明の概要】
【発明が解決しようとする課題】
【０００４】
故障等によりカートリッジ情報が読み出せない事態が発生することがある。この場合、カートリッジの記憶素子が故障しているのか、印刷装置の取付部が故障しているのかを判断することが困難である。本明細書では、このような不便性を解消することができる技術を提供する。
【課題を解決するための手段】
【０００５】
本願に記載の印刷装置は、カートリッジに収容された印刷材料を用いて被記録媒体に印刷を行う印刷装置であって、カートリッジ情報を記憶するための記憶素子を備えた複数種類のカートリッジを取付けることが可能であり、カートリッジの種類の各々に対応した複数の取付部と、取付部を介して、取付部に取付けられているカートリッジに備えられた記憶素子と通信する通信手段と、取付けられている第１のカートリッジの記憶素子と通信することができない第１の取付部を検出する第１の検出手段と、取付けられている第２のカートリッジの記憶素子と通信することができる第２の取付部を検出する第２の検出手段と、第２のカートリッジに備えられた記憶素子と第１の取付部とが通信手段によって通信できない場合、または、第１のカートリッジに備えられた記憶素子と第２の取付部とが通信手段によって通信できる場合の少なくとも一方の場合に、第１の取付部が故障している旨を報知する報知手段と、を備え、第１の取付部は第１のカートリッジの種類に対応しており、第２の取付部は第２のカートリッジの種類に対応していることを特徴とする。
【０００６】
本願に記載の印刷装置では、故障していない記憶素子を備えていることが判明している第２のカートリッジが第１の取付部と通信できない場合、または、第１の取付部を介して通信することができなかった第１のカートリッジが第２の取付部と通信できた場合には、印刷装置の第１の取付部の通信機能が故障していると判断することができる。これにより、カートリッジの記憶素子が故障しているのか、印刷装置の取付部が故障しているのかを確実に判断することができる。
【０００７】
また、第１の取付部の種類に対応しているカートリッジを用いて、第１の取付部の通信機能が故障しているか否かを判断するには、第１の取付部に対応するカートリッジ（第１のカートリッジ）を別途新たに用意して、第１の取付部に取付け、通信できるか否かを確認する必要がある。しかし、第１の取付部に対応するカートリッジ（第１のカートリッジ）を新たに用意する手間が必要となる。また、新たに用意したカートリッジの記憶素子が通信可能であることが確認できないため、新たに用意したカートリッジの記憶素子が故障している可能性を否定できず、第１の取付部の通信機能が故障しているか否かを確実に判断することができない。一方、本願に記載の印刷装置では、故障していない記憶素子を備えていることが判明している第２のカートリッジを用いて、第１の取付部が通信できるか否かを確認することができる。よって、第１の取付部に対応するカートリッジを別途新たに用意する手間を省くことが可能となる。また、第１の取付部の通信機能が故障しているか否かを確実に判断することができる。
【０００８】
また、本願に記載の印刷装置では、第１のカートリッジが印刷装置に適合しない場合には、印刷を実行できないとすることができる。これにより、印刷装置に不適合なカートリッジが使用されてしまう結果、印刷装置が故障等してしまう事態を防止できる。
【０００９】
また、請求項２に記載の印刷装置では、第１のカートリッジが印刷装置に適合する場合には、印刷を実行可能とすることができる。これにより、第１の取付部の通信機能の故障により第１のカートリッジと通信できないために、第１のカートリッジが印刷装置に適合している場合においても印刷を実行することができない、という事態の発生を回避できる。
【００１０】
また、請求項３に記載の印刷装置では、第１のカートリッジの印刷材料種類が第１の取付部の印刷材料種類に対応しているか否かを、第２の取付部を用いて判断し、対応する場合には印刷を実行可能とすることができる。これにより、第１の取付部に対応していない印刷材料種類のカートリッジが第１の取付部に取付けられてしまう、という事態の発生を回避できる。
【００１１】
また、請求項４に記載の印刷装置では、第１のカートリッジが第２の取付部から取り外され、取り外された第１のカートリッジが第１の取付部に取付けられたことを確実に検出できる。これにより、第２の取付部に取付けられた第１のカートリッジ以外のカートリッジが、第１の取付部に取付けられてしまう、という事態の発生を回避できる。
【００１２】
また、請求項５に記載の印刷装置では、第１の取付部からカートリッジが取外された場合には、第１の制御手段による判断が再実行される。これにより、第１の取付部からのカートリッジ取り外し後に、印刷装置に不適合なカートリッジが第１の取付部に取付けられてしまう事態を防止することができる。よって、印刷装置が故障等してしまうことを防止できる。
【００１３】
また、請求項６に記載の印刷装置では、第１の取付部に取付けられたカートリッジが、第２の取付部に取付けられていた第２のカートリッジであることを確認することができる。これにより、第１のカートリッジが故障しているか否かを確実に判断することができる。
【図面の簡単な説明】
【００１４】
【図１】ＭＦＰのブロック図である。
【図２】ＭＦＰの動作フローチャートを示す図である。
【図３】ＭＦＰの動作フローチャートを示す図である。
【図４】ＭＦＰの動作フローチャートを示す図である。
【図５】テーブルＴＢ１の一例を示す図である。
【図６】テーブルＴＢ２の一例を示す図である。
【発明を実施するための形態】
【００１５】
＜ＭＦＰの構成＞
図１に、本願に係る実施形態として例示されるＭＦＰ（Multifunction Peripheral）５１のブロック図を示す。ＭＦＰ５１は、ＣＰＵ３２、記憶部３３、無線送受信部３６、無線アンテナ部３７、ボタン入力部３８、パネル３９、プリンタ１９、スキャナ２０、を主に備えている。これらの構成要素は、入出力ポート４３を介して互いに通信可能とされている。ＣＰＵ３２は、後述する各種の処理を実行する。ボタン入力部３８は、ＭＦＰ５１の各機能を実行するためのキーである。パネル３９は、ＭＦＰ５１の各種機能情報を表示する。スキャナ２０は、読み取りを実行する部位である。
【００１６】
プリンタ１９は、印刷を実行する部位である。  プリンタ１９は、プリンタ制御回路６７、キャリッジ６８を備える。図１において模式的に示されるように、キャリッジ６８は、挿入口６１Ｃ、６１Ｍ、６１Ｙ、６１Ｋを備える。挿入口６１Ｃ、６１Ｍ、６１Ｙ、６１Ｋの各々は、シアン（Ｃ）、マゼンタ（Ｍ）、イエロー（Ｙ）、ブラック（Ｋ）、の各色に対応する挿入口である。そして、挿入口６１Ｃ、６１Ｍ、６１Ｙ、６１Ｋの各々に対応して、カートリッジ６４Ｃ、６４Ｍ、６４Ｙ、６４Ｋが着脱自在に取付けられる。カートリッジ６４Ｃ、６４Ｍ、６４Ｙ、６４Ｋの各々は、シアン（Ｃ）、マゼンタ（Ｍ）、イエロー（Ｙ）、ブラック（Ｋ）、の各色のインクが収容されているカートリッジである。よって、挿入口６１Ｃとカートリッジ６４Ｃの組合せ、挿入口６１Ｍとカートリッジ６４Ｍの組合せ、挿入口６１Ｙとカートリッジ６４Ｙの組合せ、挿入口６１Ｋとカートリッジ６４Ｋの組合せ、が正しい色の組合せである。また、カートリッジ６４Ｃ、６４Ｍ、６４Ｙ、６４Ｋは、正しい色の組合せの挿入口以外の何れの挿入口にも、取付けることが可能とされている。
【００１７】
カートリッジ６４Ｃ、６４Ｍ、６４Ｙ、６４Ｋの各々は、ＩＣチップ６３Ｃ、６３Ｍ、６３Ｙ、６３Ｋを備える。これらのＩＣチップは、カートリッジ情報１１０を記憶するための記憶素子である。カートリッジ情報１１０は、カートリッジ色情報１１１、適合情報１１２、カートリッジ識別情報１１３を含んでいる。カートリッジ色情報１１１は、カートリッジに収容されているインクの色種類についての情報である。適合情報１１２は、カートリッジがＭＦＰ５１に適合しているか否か（すなわち、ＭＦＰ５１の製造メーカーの純正品であるか否か）についての情報である。カートリッジ識別情報１１３は、カートリッジを識別するための情報である。カートリッジ識別情報１１３の例としては、製造シリアル番号が挙げられる。
【００１８】
挿入口の構造について、挿入口６１Ｃを例として説明する。挿入口６１Ｃには、カートリッジのＩＣチップに対応して、電極６２Ｃが備えられている。そして、カートリッジ６４Ｃが挿入口６１Ｃに正しく装着されたとき、ＩＣチップ６３Ｃ上のパッドが電極６２Ｃと接触し、通信可能となる。また、挿入口６１Ｃには、取付センサ６５Ｃが備えられている。取付センサ６５Ｃは、挿入口６１Ｃに対するカートリッジの取付けおよび取外しを検出するセンサである。電極６２Ｃおよび取付センサ６５Ｃは、ケーブルを介してプリンタ制御回路６７に接続されている。なお、挿入口６１Ｍ、６１Ｙ、６１Ｋの各構成についても、挿入口６１Ｃと同様であるため、詳細な説明は省略する。
【００１９】
プリンタ制御回路６７は、挿入口に取付けられているカートリッジ６４Ｃ、６４Ｍ、６４Ｙ、６４Ｋの各々に備えられているＩＣチップ６３Ｃ、６３Ｍ、６３Ｙ、６３Ｋと通信し、カートリッジ情報１１０を取得する。そしてプリンタ制御回路６７は、カートリッジ情報１１０が取得できるカートリッジのみを用いて印刷を実行する。すなわち、適合情報１１２を読み出せないカートリッジ（例えば、ＩＣチップが故障しているカートリッジや、純正品でないカートリッジなど）が少なくとも１つ挿入口に取付けられている場合には、後述する認識迂回状態にしなければ、印刷を実行できない仕様となっている。
【００２０】
記憶部３３は、ＲＡＭ（Random Access Memory）、ＲＯＭ（Read Only Memory）、フラッシュメモリ、ＨＤＤ（ハードディスク）、などが組み合わされて構成されている。また記憶部３３は、テーブルＴＢ１およびＴＢ２を記憶する。図５に、テーブルＴＢ１の一例を示す。テーブルＴＢ１は、挿入口６１Ｃ、６１Ｍ、６１Ｙ、６１Ｋの各々について、カートリッジ情報１１０（カートリッジ色情報１１１、適合情報１１２、カートリッジ識別情報１１３）、カートリッジ取付情報１１４、通信状態情報１１５、故障フラグ１１６、を記憶する。
【００２１】
カートリッジ取付情報１１４は、挿入口にカートリッジが取付けられているか否かを示す情報である。カートリッジ取付情報１１４は、取付センサ６５Ｃ、６５Ｍ、６５Ｙ、６５Ｋによって、リアルタイムに取得される。通信状態情報１１５は、挿入口に取付けられたカートリッジのＩＣチップと通信することが可能であるか否かを示す情報である。故障フラグ１１６は、挿入口またはカートリッジのＩＣチップの何れかが、故障しているか否かを示す情報である。挿入口の故障の例としては、電極６２Ｃ、６２Ｍ、６２Ｙ、６２Ｋの故障が挙げられる。
【００２２】
また図６に、テーブルＴＢ２の一例を示す。テーブルＴＢ２は、通信失敗挿入口と交換対象挿入口との対応を示すテーブルである。通信失敗挿入口は、取付けられているカートリッジ（以下、通信失敗カートリッジと呼ぶ）のＩＣチップとの通信に失敗した挿入口である。交換対象挿入口は、通信失敗カートリッジに代えて通信失敗挿入口に取付けられるカートリッジ（以下、交換カートリッジと呼ぶ）が取付けられている挿入口である。また、交換対象挿入口は、交換カートリッジのＩＣチップと通信が成功している挿入口である。なお、通信失敗挿入口と交換対象挿入口との対応関係は、インクの色が互いに混合しても問題が少ない組合せとなるように予め決定されている。
【００２３】
＜ＭＦＰの動作＞
ＭＦＰ５１の動作を、図２ないし図４のフローを用いて説明する。図２ないし図４のフローは、ＭＦＰ５１の電源がオン状態である期間中に常に動作するフローである。
【００２４】
Ｓ１０において、ＣＰＵ３２は、挿入口に取付けられているカートリッジとの通信確認を行う。具体的には、テーブルＴＢ１において、カートリッジ取付情報１１４が「取付あり」になっている挿入口を抽出する。そして、抽出した挿入口の各々において、通信確認のための情報をＩＣチップへ送信し、ＩＣチップからの返答情報の有無を確認する。そしてＣＰＵ３２は、テーブルＴＢ１において、ＩＣチップと通信可能な挿入口についての通信状態情報１１５を「通信可能」に設定し、ＩＣチップと通信できない挿入口についての通信状態情報１１５を「通信不可」に設定する。
【００２５】
Ｓ１２において、ＣＰＵ３２は、通信失敗挿入口（取付けられているカートリッジのＩＣチップとの通信に失敗した挿入口）が存在するか否かを判断する。具体的には、テーブルＴＢ１の通信状態情報１１５が「通信不可」に設定されているとともに、故障フラグ１１６が「故障無し」に設定されている挿入口（すなわち、ＩＣチップと通信できない状態であるが、故障部位がまだ特定されていない状態の挿入口）が存在するか否かを判断する。通信失敗挿入口が存在しない場合（Ｓ１２：ＮＯ）にはＳ１０へ戻り、存在する場合（Ｓ１２：ＹＥＳ）にはＳ１３へ進む。
【００２６】
Ｓ１３に進むと、ＣＰＵ３２は、交換対象挿入口が存在するか否かを判断する。具体的には、ＣＰＵ３２は、テーブルＴＢ２を用いて、通信失敗挿入口に対応する交換対象挿入口を選択する。そして、選択した交換対象挿入口の通信状態情報１１５が「通信可能」となっている場合には、交換対象挿入口が存在すると判断する。交換対象挿入口が存在しない場合（Ｓ１３：ＮＯ）にはＳ１０へ戻り、存在する場合（Ｓ１３：ＹＥＳ）にはＳ１４へ進む。
【００２７】
Ｓ１４において、ＣＰＵ３２は、交換対象挿入口に現在取付けられているカートリッジ（交換カートリッジ）を交換対象挿入口から取外して、通信失敗挿入口に取付ける旨の表示を、パネル３９に表示させる。Ｓ１６において、ＣＰＵ３２は、取付け完了ボタンがユーザにより押下されたか否かを判断する。押下されていない場合（Ｓ１６：ＮＯ）には、Ｓ１６へ戻る。一方、押下された場合（Ｓ１６：ＹＥＳ）には、交換カートリッジが通信失敗挿入口に取付けられたと判断され、Ｓ１７へ進む。
【００２８】
Ｓ１７において、ＣＰＵ３２は、通信失敗挿入口を用いて、交換カートリッジのＩＣチップと通信が成功したか否かを判断する。通信が成功した場合（Ｓ１７：ＹＥＳ）には、通信失敗挿入口は故障しておらず、通信失敗挿入口に取付けられていたカートリッジ（通信失敗カートリッジ）のＩＣチップ側に不良が発生していると判断し、Ｓ１８へ進む。
【００２９】
Ｓ１８においてＣＰＵ３２は、通信失敗カートリッジが故障している旨を、パネル３９に表示させる。Ｓ１９においてＣＰＵ３２は、テーブルＴＢ１において、通信失敗挿入口についての故障フラグ１１６を「カートリッジ故障」に設定する。そしてフローを終了する。これによりＭＦＰ５１は、認識迂回状態（挿入口に取付けられているカートリッジのＩＣチップと通信することが可能であるか否かに関わらず、印刷を実行可能にプリンタ制御回路６７を制御する状態）にはされない。よって、故障している通信失敗カートリッジを用いては、印刷を実行できない状態とすることができる。
【００３０】
一方、Ｓ１７において、交換カートリッジのＩＣチップと通信が失敗した場合（Ｓ１７：ＮＯ）には、通信失敗挿入口が故障していると判断され、Ｓ２０へ進む。Ｓ２０において、ＣＰＵ３２は、通信失敗挿入口が故障している旨を、パネル３９に表示させる。Ｓ２１においてＣＰＵ３２は、テーブルＴＢ１において、通信失敗挿入口についての故障フラグ１１６を「挿入口故障」に設定する。そしてＳ２２（図３）へ進む。
【００３１】
Ｓ２２において、ＣＰＵ３２は、通信失敗カートリッジを、交換対象挿入口に取付ける旨の表示を、パネル３９に表示させる。Ｓ２４において、ＣＰＵ３２は、取付け完了ボタンがユーザにより押下されたか否かを判断する。押下されていない場合（Ｓ２４：ＮＯ）には、Ｓ２４へ戻る。一方、押下された場合（Ｓ２４：ＹＥＳ）には、通信失敗カートリッジが交換対象挿入口に取付けられたと判断され、Ｓ２６へ進む。
【００３２】
Ｓ２６において、ＣＰＵ３２は、交換対象挿入口を用いて、通信失敗カートリッジと通信し、適合情報１１２を読み出すことで、当該カートリッジが純正品であるか否かを判断する。当該カートリッジが純正品であることが判断できない場合（Ｓ２６：ＮＯ）には、Ｓ４０へ進む。Ｓ４０においてＣＰＵ３２は、通信失敗カートリッジが純正品ではない旨、および、純正品のカートリッジに交換必要である旨を、パネル３９に表示させる。そしてフローを終了する。これによりＭＦＰ５１は認識迂回状態とされないため、純正品でないカートリッジを用いた印刷を実行できない状態とすることができる。
【００３３】
一方、Ｓ２６において、当該カートリッジが純正品であると判断される場合（Ｓ２６：ＹＥＳ）には、Ｓ２８へ進む。Ｓ２８において、ＣＰＵ３２は、通信失敗カートリッジの色と、通信失敗挿入口の色とが一致するか否かを判断する。具体的にはＣＰＵ３２は、交換対象挿入口を用いて、通信失敗カートリッジのＩＣチップからカートリッジ色情報１１１を読み出す。そして、読み出したカートリッジ色情報１１１が、通信失敗挿入口の色種類に一致するか否かを判断する。色が一致していない場合（Ｓ２８：ＮＯ）には、Ｓ２２へ戻る。これによりＭＦＰ５１は認識迂回状態とされないため、印刷を実行できない状態とすることができる。一方、色が一致している場合（Ｓ２８：ＹＥＳ）には、Ｓ３０へ進む。
【００３４】
Ｓ３０において、ＣＰＵ３２は、交換対象挿入口に取付けられていたカートリッジが取外されたか否かを判断する。当該判断は、取付センサ６５Ｃ、６５Ｍ、６５Ｙ、６５Ｋを用いて行う。取外されていない場合（Ｓ３０：ＮＯ）にはＳ３０へ戻り、取外された場合（Ｓ３０：ＹＥＳ）にはＳ３２へ進む。
【００３５】
Ｓ３２において、ＣＰＵ３２は、通信失敗挿入口にカートリッジが取付けられたか否かを判断する。当該判断は、取付センサ６５Ｃ、６５Ｍ、６５Ｙ、６５Ｋを用いて行う。取付けられていない場合（Ｓ３２：ＮＯ）にはＳ３２へ戻り、取付けられた場合（Ｓ３２：ＹＥＳ）にはＳ３４へ進む。
【００３６】
Ｓ３４において、ＣＰＵ３２は、交換対象挿入口に、正しい色のカートリッジが取付けられているか否かを判断する。具体的には、交換対象挿入口に現在取付けられているカートリッジのＩＣチップから読み出されるカートリッジ色情報１１１が、交換対象挿入口の色種類に一致するか否かを判断する。正しい色のカートリッジが取付けられていない場合（Ｓ３４：ＮＯ）にはＳ３４へ戻り、取付けられている場合（Ｓ３４：ＹＥＳ）にはＳ３６へ進む。
【００３７】
Ｓ３６において、ＣＰＵ３２は、ＭＦＰ５１を認識迂回状態にする。これにより、ＭＦＰ５１は印刷可能状態となる。
【００３８】
図４のフローを説明する。図４のフローは、ＭＦＰ５１が認識迂回状態とされている場合に、常に動作するフローである。Ｓ７２において、ＣＰＵ３２は、認識迂回状態中に、挿入口からカートリッジが取外されたか否かを判断する。当該判断は、取付センサ６５Ｃ、６５Ｍ、６５Ｙ、６５Ｋを用いて行う。取外されていない場合（Ｓ７２：ＮＯ）にはＳ７２へ戻り、取外された場合（Ｓ７２：ＹＥＳ）にはＳ７４へ進む。
【００３９】
Ｓ７４において、ＣＰＵ３２は、カートリッジが取外された挿入口が故障しているか否かを判断する。当該判断は、テーブルＴＢ１において、カートリッジが取外された挿入口の故障フラグ１１６が「挿入口故障」となっているか否かによって行われる。故障している場合（Ｓ７４：ＹＥＳ）には、認識迂回状態が解除された上でＳ７６へ進む。Ｓ７６においてＣＰＵ３２は、Ｓ２２（図３）のステップから再度フローを開始する。これにより、故障している挿入口に取付けられるカートリッジが純正品であるか否かの判断を、再度実行することができる。一方、Ｓ７４において故障していないと判断される場合（Ｓ７４：ＮＯ）には、フローを終了する。
【００４０】
＜動作例＞
本実施形態の動作例を説明する。当該動作例では、挿入口６１Ｃの電極６２Ｃのみが故障しており、挿入口６１Ｍ、６１Ｙ、６１Ｋの電極６２Ｍ、６２Ｙ、６２Ｋは正常である場合を説明する。また、カートリッジ６４Ｃ、６４Ｍ、６４Ｙ、６４Ｋは全て純正品であり、カートリッジ６４Ｃ、６４Ｍ、６４Ｙ、６４Ｋの各ＩＣチップは全て正常である場合を説明する。
【００４１】
挿入口６１Ｃの電極６２Ｃが故障しているため、テーブルＴＢ１において、挿入口６１Ｃの通信状態情報１１５が「通信不可」に設定される（図５、領域Ａ１）（Ｓ１０）。また、挿入口６１Ｍ、６１Ｙ、６１Ｋの通信状態情報１１５は、「通信可能」に設定される（Ｓ１０）。また、通信失敗挿入口（挿入口６１Ｃ）が存在している（Ｓ１２：ＹＥＳ）。また、テーブルＴＢ２（図６）に基づいて、通信失敗挿入口（挿入口６１Ｃ）に対応する交換対象挿入口（挿入口６１Ｙ）が選択される（Ｓ１３：ＹＥＳ）。
【００４２】
ＣＰＵ３２は、交換対象挿入口（挿入口６１Ｙ）に取付けられている交換カートリッジ６４Ｙを取外した上で、交換カートリッジ６４Ｙを通信失敗挿入口（挿入口６１Ｃ）に取付ける旨の表示を、パネル３９に表示させる（Ｓ１４）。ユーザによって、交換カートリッジ６４Ｙが通信失敗挿入口（挿入口６１Ｃ）に取付けられると（Ｓ１６：ＹＥＳ）、挿入口６１Ｃの電極６２Ｃが故障しているため、挿入口６１ＣとＩＣチップ６３Ｙとの間の通信が失敗する（Ｓ１７：ＮＯ）。よって、通信失敗挿入口（挿入口６１Ｃ）が故障している旨が、パネル３９に表示される（Ｓ２０）。また、挿入口６１Ｃの故障フラグ１１６が「挿入口故障」に設定される（図５、領域Ａ２）。
【００４３】
次に、通信失敗挿入口（挿入口６１Ｃ）に取付けられていた通信失敗カートリッジ６４Ｃを、交換対象挿入口（挿入口６１Ｙ）に取付ける旨の表示を、パネル３９に表示させる（Ｓ２２）。ユーザによって、通信失敗カートリッジ６４Ｃが挿入口６１Ｙに取付けられると（Ｓ２４：ＹＥＳ）、ＩＣチップ６３Ｃとの通信が行われ、通信失敗カートリッジ６４Ｃが純正品であることが確認される（Ｓ２６：ＹＥＳ）。また、通信失敗カートリッジ６４ＣのＩＣチップ６３Ｃから読み出したカートリッジ色情報１１１（シアン（Ｃ））は、通信失敗挿入口（挿入口６１Ｃ）の色情報（シアン（Ｃ））と一致する（Ｓ２８：ＹＥＳ）。よって、認識迂回状態に移行するために、Ｓ３０へ進む。
【００４４】
交換対象挿入口（挿入口６１Ｙ）に取付けられていた通信失敗カートリッジ６４Ｃが取外され（Ｓ３０：ＹＥＳ）、通信失敗挿入口（挿入口６１Ｃ）に通信失敗カートリッジ６４Ｃが取付けられる一方で（Ｓ３２：ＹＥＳ）、交換対象挿入口（挿入口６１Ｙ）に、正しい色の交換カートリッジ６４Ｙが取付けられると（Ｓ３４：ＹＥＳ）、ＣＰＵ３２は、ＭＦＰ５１を認識迂回状態にする。これにより、ＭＦＰ５１は印刷可能状態となる。
【００４５】
以上説明した、本実施形態の説明例に係るＭＦＰ５１の効果を説明する。本願に記載の印刷装置では、交換カートリッジ（交換対象挿入口に取付けられていたカートリッジ、すなわち、故障していないＩＣチップを備えていることが判明しているカートリッジ）が、通信失敗挿入口と通信できない場合（Ｓ１７：ＮＯ）には、通信失敗挿入口の通信機能が故障していると特定することができる。これにより、取付けられているカートリッジのＩＣチップとの通信に失敗した場合に、カートリッジのＩＣチップが故障しているのか、挿入口が故障しているのかを確実に判断することができる。
【００４６】
また、通信失敗挿入口の色種類に対応しているカートリッジを別途新たに用意して、通信失敗挿入口に取付け、通信できるか否かを確認する場合には、新たに用意したカートリッジのＩＣチップが故障している可能性を否定できないため、通信失敗挿入口の通信機能が故障しているか否かを確実に判断することができない。一方、本願に記載のＭＦＰ５１では、交換カートリッジ（故障していないＩＣチップを備えていることが判明しているカートリッジ）を用いることで、通信失敗挿入口の通信機能が故障しているか否かを確実に判断することができる。
【００４７】
また、通信失敗カートリッジ（通信失敗挿入口に取付けられていたカートリッジ）が純正品ではない場合（Ｓ２６：ＮＯ）には、印刷を実行できないとすることができる。これにより、ＭＦＰ５１に不適合なカートリッジが使用されてしまう結果、ＭＦＰ５１が故障等してしまう事態を防止できる。
【００４８】
また、通信失敗カートリッジが純正品である場合（Ｓ２６：ＹＥＳ）には、印刷を実行可能とすることができる。これにより、通信失敗挿入口の通信機能の故障により、通信失敗カートリッジと通信できないために、通信失敗カートリッジが純正品であっても印刷を実行できなくなってしまうという事態を回避することができる。
【００４９】
また、通信失敗カートリッジのインクの色が、通信失敗挿入口の色に対応しているか否かを、交換対象挿入口を用いて判断し、対応する場合（Ｓ２８：ＹＥＳ）には印刷を実行可能とすることができる。これにより、通信失敗挿入口の色に対応していない色のカートリッジが通信失敗挿入口に取付けられてしまう事態を回避することができる。
【００５０】
また、通信失敗カートリッジが交換対象挿入口から取り外され（Ｓ３０：ＹＥＳ）、取り外された通信失敗カートリッジが通信失敗挿入口に戻されたこと（Ｓ３２：ＹＥＳ）を確実に検出できる。これにより、交換対象挿入口に取付けられた通信失敗カートリッジ以外のカートリッジが、通信失敗挿入口に取付けられてしまう、という事態の発生を回避できる。
【００５１】
また、通信失敗挿入口からカートリッジが取外された場合（Ｓ７２：ＹＥＳ）には、通信失敗挿入口に取付けられるカートリッジが純正品であるか否かの判断を、再度実行することができる（Ｓ２６）。これにより、通信失敗挿入口からのカートリッジ取り外し後に、純正品ではないカートリッジが通信失敗挿入口に取付けられてしまう事態を防止することができる。よって、ＭＦＰ５１が故障等してしまうことを防止できる。
【００５２】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。以下に変形例を説明する。
【００５３】
＜変形例＞
通信失敗挿入口が故障していると判断する方法は、様々な態様であってよく、Ｓ１７で行われる方法に限られない。例えばＳ２６において、交換対象挿入口を用いて、通信失敗カートリッジとの通信が成功した場合には、通信失敗挿入口の通信機能が故障していると判断してもよい。
【００５４】
Ｓ１７において、ＣＰＵ３２は、通信失敗挿入口に取付けられたカートリッジが、交換対象挿入口に取付けられていた交換カートリッジであることを確認する形態であってもよい。具体的には、Ｓ１７において、通信失敗挿入口に取付けられているカートリッジのＩＣチップと通信が成功した場合（Ｓ１７：ＹＥＳ）には、当該ＩＣチップからカートリッジ色情報１１１およびカートリッジ識別情報１１３を読み出す。また、テーブルＴＢ１から、交換対象挿入口に取付けられていた交換カートリッジのカートリッジ色情報１１１およびカートリッジ識別情報１１３を読み出す。そして、両情報が一致した場合に、通信失敗挿入口に現在取付けられているカートリッジは、交換対象挿入口に取付けられていた交換カートリッジである旨を確認するとしてもよい。そして通信失敗カートリッジが故障していると判断し、Ｓ１８へ進んでその旨をパネル３９に表示するとしてもよい。これにより、通信失敗カートリッジが故障していることを確実に判断することができる。
【００５５】
Ｓ１０で行われる通信確認は様々な態様であってよい。例えば、通信確認が複数回実行され、所定回数連続して通信確認に失敗した場合に、通信不可であると認識してもよい。
【００５６】
使用されるインク種類はシアン、マゼンタ、イエロー、ブラックの４種類の場合を説明したが、この形態に限られず、３種類以下または５種類以上の場合においても本願の技術を適用可能である。また、カートリッジに収容されている印刷材料はインクに限られず、トナーなどの他の材料であってもよい。
【００５７】
ＩＣチップ６３Ｃ、６３Ｍ、６３Ｙ、６３Ｋは接触式ＩＣであるとしたが、非接触式ＩＣを適用してもよい。
【００５８】
インクは印刷材料の一例である。ＩＣチップ６３Ｃ、６３Ｍ、６３Ｙ、６３Ｋは記憶素子の一例である。挿入口６１Ｃ、６１Ｍ、６１Ｙ、６１Ｋは取付部の一例である。プリンタ制御回路６７は通信手段の一例である。通信失敗カートリッジは第１のカートリッジの一例である。通信失敗挿入口は第１の取付部の一例である。Ｓ１０を実行するＣＰＵ３２は第１の検出手段の一例である。交換カートリッジは第２のカートリッジの一例である。交換対象挿入口は第２の取付部の一例である。Ｓ１０を実行するＣＰＵ３２は第２の検出手段の一例である。Ｓ２０を実行するＣＰＵ３２は報知手段の一例である。Ｓ２６を実行するＣＰＵ３２は判断手段の一例である。Ｓ４０を実行するＣＰＵ３２は第１の制御手段の一例である。Ｓ３６を実行するＣＰＵ３２は第２の制御手段の一例である。カートリッジ色情報１１１は印刷材料情報の一例である。取付センサ６５Ｃ、６５Ｍ、６５Ｙ、６５Ｋは第３の検出手段および第４の検出手段の一例である。
【符号の説明】
【００５９】
５１：ＭＦＰ、６１Ｃ、６１Ｍ、６１Ｙ、６１Ｋ：挿入口、６３Ｃ、６３Ｍ、６３Ｙ、６３Ｋ：ＩＣチップ、６４Ｃ、６４Ｍ、６４Ｙ、６４Ｋ：カートリッジ、６５Ｃ、６５Ｍ、６５Ｙ、６５Ｋ：取付センサ、１１０：カートリッジ情報、１１１：カートリッジ色情報、１１２：適合情報
【図１】
0005838624.tif 000002
【図２】
0005838624.tif 000003
【図３】
0005838624.tif 000004
【図４】
0005838624.tif 000005
【図５】
0005838624.tif 000006
【図６】
0005838624.tif 000007